(57)【要約】【課題】二次元の領域内で分離型の中継装置の設置場所を決定するために必要な情報を取得できる中継装置、通信システム、中継装置情報取得方法及び中継装置情報表示方法を提供することにある。【解決手段】本発明に係る中継装置111は、基地局BSと移動局MSとの間で送受信されるデータを中継する中継装置111であって、移動可能な基地局側ユニット113と、基地局側ユニット113と独立して移動可能であり、基地局側ユニット113と信号ケーブルで接続されている移動局側ユニット115と、中継装置制御部125とを備え、中継装置制御部125は、基地局側ユニット113の基地局側通信品質情報取得部119及び基地局側位置情報取得部121により取得された通信品質情報及び位置情報と、移動局側ユニット115の移動局側通信品質情報取得部129及び移動局側位置情報取得部131により取得された通信品質情報及び位置情報とを取得時刻に関して対応付ける。【選択図】図１
2012010294.tif 000002
【特許請求の範囲】
【請求項１】
基地局と移動局との間で送受信されるデータを中継する中継装置であって、当該中継装置は、移動可能な基地局側ユニットと、当該基地局側ユニットと独立して移動可能であり、前記基地局側ユニットと信号ケーブルで接続されている移動局側ユニットと、中継装置制御部とを備え、
前記基地局側ユニットは、
‐  前記基地局とデータを送受信する基地局側送受信部と、
‐  前記基地局側送受信部におけるデータ受信時の前記基地局側ユニットの通信品質情報を取得する基地局側通信品質情報取得部と、
‐  前記基地局側ユニットの位置情報を取得する基地局側位置情報取得部と
を備え、
前記移動局側ユニットは、
‐  前記移動局とデータを送受信する移動局側送受信部と、
‐  前記移動局側送受信部におけるデータ受信時の前記移動局側ユニットの通信品質情報を取得する移動局側通信品質情報取得部と、
‐  前記移動局側ユニットの位置情報を取得する移動局側位置情報取得部と
を備え、
前記中継装置制御部は、前記基地局側ユニットの前記通信品質情報及び前記位置情報と、前記移動局側ユニットの前記通信品質情報及び前記位置情報とを取得時刻に関して対応付ける
中継装置。
【請求項２】
基地局と移動局との間で送受信されるデータを中継する中継装置と、当該中継装置から出力された情報を受け取る通信装置と、を備える通信システムであって、
前記中継装置は、移動可能な基地局側ユニットと、当該基地局側ユニットと独立して移動可能であり、前記基地局側ユニットと信号ケーブルで接続されている移動局側ユニットと、中継装置制御部とを備え、
前記基地局側ユニットは、
‐  前記基地局とデータを送受信する基地局側送受信部と、
‐  前記基地局側送受信部におけるデータ受信時の前記基地局側ユニットの通信品質情報を取得する基地局側通信品質情報取得部と、
‐  前記基地局側ユニットの位置情報を取得する基地局側位置情報取得部と
を備え、
前記移動局側ユニットは、
‐  前記移動局とデータを送受信する移動局側送受信部と、
‐  前記移動局側送受信部におけるデータ受信時の前記移動局側ユニットの通信品質情報を取得する移動局側通信品質情報取得部と、
‐  前記移動局側ユニットの位置情報を取得する移動局側位置情報取得部と
を備え、
前記中継装置制御部は、前記基地局側ユニットの前記通信品質情報及び前記位置情報と、前記移動局側ユニットの前記通信品質情報及び前記位置情報とを取得時刻に関して対応付け、当該時刻に関して対応付けられた情報を前記通信装置に出力する
中継装置であり、
前記通信装置は、
表示部と、
前記中継装置制御部から出力された前記情報を受け取る中継装置情報取得部と、
前記中継装置情報取得部が受け取った前記情報を記憶する通信装置記憶部と、
前記通信装置記憶部が記憶した前記情報を前記表示部に表示させる通信装置制御部と
を備え、
前記通信装置制御部は、前記移動局側ユニット及び前記基地局側ユニットの前記通信品質情報及び前記位置情報を取得時刻と対応させて前記表示部に表示させる
通信システム。
【請求項３】
請求項２に記載の通信システムにおいて、前記通信装置制御部は、前記中継装置から受け取った前記情報を、前記位置情報を基に前記表示部に表示させることを特徴とする通信システム。
【請求項４】
移動可能な基地局側ユニットと、当該基地局側ユニットと独立して移動可能であり、前記基地局側ユニットと信号ケーブルで接続されている移動局側ユニットとを備える中継装置の設置場所を決定するために必要な中継装置情報取得方法であって、
前記基地局側ユニットの通信品質情報及び位置情報を取得するステップと、
前記移動局側ユニットの通信品質情報及び位置情報を取得するステップと、
前記基地局側ユニットの前記通信品質情報及び前記位置情報と、前記移動局側ユニットの前記通信品質情報及び前記位置情報とを取得時刻に関して対応付けるステップと
を含む中継装置情報取得方法。
【請求項５】
移動可能な基地局側ユニットと、当該基地局側ユニットと独立して移動可能であり、前記基地局側ユニットと信号ケーブルで接続されている移動局側ユニットとを備える中継装置の設置場所を決定するために必要な中継装置情報表示方法であって、
前記基地局側ユニットの通信品質情報及び位置情報を取得するステップと、
前記移動局側ユニットの通信品質情報及び位置情報を取得するステップと、
前記基地局側ユニットの前記通信品質情報及び前記位置情報と、前記移動局側ユニットの前記通信品質情報及び前記位置情報とを取得時刻に関して対応付けるステップと、
前記基地局側ユニットの前記通信品質情報及び前記位置情報と、前記移動局側ユニットの前記通信品質情報及び前記位置情報とを取得時間と対応させて表示するステップと
を含む中継装置情報表示方法。
【発明の詳細な説明】
【技術分野】
【０００１】
本発明は、中継装置、通信システム、中継装置情報取得方法及び中継装置情報表示方法に関するものである。
【背景技術】
【０００２】
移動局が基地局と通信するためには、移動局は基地局からの無線電波が届く範囲に位置する必要がある。しかし、山岳地帯や高層ビル等が建ち並ぶ市街地では、障害物が多いため無線電波が届きにくい領域が存在する。また、屋外に設置された基地局からは、建物の内部や地下には、電波が届かない領域が多く存在する。特に、ＩＥＥＥ標準規格802.16eを基に規格化されたＷｉＭＡＸ（Worldwide Interoperability for Microwave Access）等の高速無線通信方式では、２．５ＧＨｚ以上の高周波数帯の電波が使用されるが、このような電波は直進性が強く、障害物を回りこむ性質が弱い。そのため、ＷｉＭＡＸ等は障害物の影響を強く受ける。このような電波が届かない領域をカバーするため、基地局と移動局との間の無線電波を中継する中継装置（レピータ）が必要となる。
【０００３】
中継装置は、基地局と通信を行う基地局側ユニット（ドナー部又はＭＳ（Mobile Station）部）と、移動局と通信を行う移動局側ユニット（サービス部又はＢＳ（Base Station）部）とを有している。基地局及び移動局の双方と通信を行う中継装置を設置するためには、基地局と基地局側ユニットとの間の通信環境と、移動局と移動局側ユニットとの間の通信環境と、基地局側ユニットと移動局側ユニットとの無線通信環境とを考慮する必要がある。そのため、設置作業者が、中継装置を移動させながら、これらの通信環境における通信品質に関するデータを取得していくことになる。そして、最も通信品質の良い位置に中継装置が設置される。しかし、この作業は、設置作業者が、複数の地点を移動し、地道にデータを取得し続ける必要があるため、手間と時間がかかる。
【０００４】
この人的な作業による手間と時間を軽減するために、従来、自動的に移動し、データを取得して、設置位置を決定する中継装置が提案されている（例えば、特許文献１参照）。図９を用いて、特許文献１の発明を説明する。中継装置９０１は、基地局と通信を行うための基地局向けアンテナ９０３と、移動局と通信を行うための移動局向けアンテナ９０５と、中継装置自体がスライド移動するためのスライドレール９０７を有している。中継装置９０１は、基地局向けアンテナ９０５を介して、テスト用電波を送信し、移動局向けアンテナ９０５を介して当該電波を受信する。そして、中継装置９０１は、受信された電波から受信レベルを測定し、受信レベルと測定位置を記憶しておく。測定後、中継装置９０１は、駆動部９０９によって、スライドレール９０７上を所定の距離だけスライド移動し、移動先で同様にして受信レベルを測定する。中継装置９０１は、移動と測定を繰り返し、取得した受信レベルから、干渉波の受信レベルが最も低い場所を設置位置として決定する。
【先行技術文献】
【特許文献】
【０００５】
【特許文献１】特開２００４−３２８６６７号公報
【発明の概要】
【発明が解決しようとする課題】
【０００６】
しかし、従来の中継装置では、設置位置の候補が、一次元のスライドレール上に限定されてしまう。そのため、ある面積を有する二次元の領域の中で、最も通信環境の良い位置を見つけるためには、中継装置をスライドレールと共に何度も移動させて受信レベルを計測する必要があり、非常に手間と時間がかかる。更に、測定可能な領域は、スライドレールが納まる領域に限定されてしまうため、狭い屋内や、物が多く配置されている屋内では、従来の発明は使用し難い。
【０００７】
また、従来の発明では、基地局側ユニットと移動局側ユニットとが一つの筐体に納められている一体型の中継装置が想定されているため、従来の発明を分離型の中継装置に適用することはできない。分離型では、基地局側ユニットと移動局側ユニットとをそれぞれ独立して設置することができるので、一体型に比べて、設置位置の自由度が大きく、基地局側ユニットと移動局側ユニットとの間の相互干渉にも対応しやすい。なお、相互干渉とは、基地局側ユニット及び移動局側ユニットの一方のユニットが発した信号と、他方のユニットが本来受信すべき信号（希望波）との干渉のことである。
【０００８】
従って、上記のような問題点に鑑みてなされた本発明の目的は、二次元の領域内で分離型の中継装置の設置場所を決定するために必要な情報を取得できる中継装置、通信システム、中継装置情報取得方法及び中継装置情報表示方法を提供することにある。
【課題を解決するための手段】
【０００９】
上述した諸課題を解決すべく、第１の観点による中継装置は、
基地局と移動局との間で送受信されるデータを中継する中継装置であって、当該中継装置は、移動可能な基地局側ユニットと、当該基地局側ユニットと独立して移動可能であり、前記基地局側ユニットと信号ケーブルで接続されている移動局側ユニットと、中継装置制御部とを備え、
前記基地局側ユニットは、
‐  前記基地局とデータを送受信する基地局側送受信部と、
‐  前記基地局側送受信部におけるデータ受信時の前記基地局側ユニットの通信品質情報を取得する基地局側通信品質情報取得部と、
‐  前記基地局側ユニットの位置情報を取得する基地局側位置情報取得部と
を備え、
前記移動局側ユニットは、
‐  前記移動局とデータを送受信する移動局側送受信部と、
‐  前記移動局側送受信部におけるデータ受信時のから前記移動局側ユニットの通信品質情報を取得する移動局側通信品質情報取得部と、
‐  前記移動局側ユニットの位置情報を取得する移動局側位置情報取得部と
を備え、
前記中継装置制御部は、前記基地局側ユニットの前記通信品質情報及び前記位置情報と、前記移動局側ユニットの前記通信品質情報及び前記位置情報とを取得時刻に関して対応付ける
ものである。
【００１０】
また、第２の観点による通信システムは、
基地局と移動局との間で送受信されるデータを中継する中継装置と、当該中継装置から出力された情報を受け取る通信装置と、を備える通信システムであって、
前記中継装置は、移動可能な基地局側ユニットと、当該基地局側ユニットと独立して移動可能であり、前記基地局側ユニットと信号ケーブルで接続されている移動局側ユニットと、中継装置制御部とを備え、
前記基地局側ユニットは、
‐  前記基地局とデータを送受信する基地局側送受信部と、
‐  前記基地局側送受信部におけるデータ受信時の前記基地局側ユニットの通信品質情報を取得する基地局側通信品質情報取得部と、
‐  前記基地局側ユニットの位置情報を取得する基地局側位置情報取得部と
を備え、
前記移動局側ユニットは、
‐  前記移動局とデータを送受信する移動局側送受信部と、
‐  前記移動局側送受信部におけるデータ受信時の前記移動局側ユニットの通信品質情報を取得する移動局側通信品質情報取得部と、
‐  前記移動局側ユニットの位置情報を取得する移動局側位置情報取得部と
を備え、
前記中継装置制御部は、前記基地局側ユニットの前記通信品質情報及び前記位置情報と、前記移動局側ユニットの前記通信品質情報及び前記位置情報とを取得時刻に関して対応付け、当該時刻に関して対応付けられた情報を前記通信装置に出力する
中継装置であり、
前記通信装置は、
表示部と、
前記中継装置制御部から出力された前記情報を受け取る中継装置情報取得部と、
前記中継装置情報取得部が受け取った前記情報を記憶する通信装置記憶部と、
前記通信装置記憶部が記憶した前記情報を前記表示部に表示させる通信装置制御部と
を備え、
前記通信装置制御部は、前記移動局側ユニット及び前記基地局側ユニットの前記通信品質情報及び前記位置情報を取得時刻と対応させて前記表示部に表示させる
ものである。
【００１１】
また、前記通信装置制御部は、前記中継装置から受け取った前記情報を、前記位置情報を基に前記表示部に表示させることが望ましい。
【００１２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１３】
例えば、本発明の第１の観点を方法として実現させた中継装置情報取得方法は、
移動可能な基地局側ユニットと、当該基地局側ユニットと独立して移動可能であり、前記基地局側ユニットと信号ケーブルで接続されている移動局側ユニットとを備える中継装置の設置場所を決定するために必要な中継装置情報取得方法であって、
前記基地局側ユニットの通信品質情報及び位置情報を取得するステップと、
前記移動局側ユニットの通信品質情報及び位置情報を取得するステップと、
前記基地局側ユニットの前記通信品質情報及び前記位置情報と、前記移動局側ユニットの前記通信品質情報及び前記位置情報とを取得時刻に関して対応付けるステップと
を含むものである。
【００１４】
また、本発明の第２の観点を方法として実現させた中継装置情報表示方法は、
移動可能な基地局側ユニットと、当該基地局側ユニットと独立して移動可能であり、前記基地局側ユニットと信号ケーブルで接続されている移動局側ユニットとを備える中継装置の設置場所を決定するために必要な中継装置情報表示方法であって、
前記基地局側ユニットの通信品質情報及び位置情報を取得するステップと、
前記移動局側ユニットの通信品質情報及び位置情報を取得するステップと、
前記基地局側ユニットの前記通信品質情報及び前記位置情報と、前記移動局側ユニットの前記通信品質情報及び前記位置情報とを取得時刻に関して対応付けるステップと、
前記基地局側ユニットの前記通信品質情報及び前記位置情報と、前記移動局側ユニットの前記通信品質情報及び前記位置情報とを取得時間と対応させて表示するステップと
を含むものである。
【発明の効果】
【００１５】
上記のように構成された本発明に係る中継装置、通信システム、中継装置情報取得方法及び中継装置情報表示方法によれば、中継装置の基地局側ユニット及び移動局側ユニットの双方が、それぞれ独立して移動し、位置情報及び通信品質情報を取得する。そして、基地局側ユニットの位置情報及び通信品質情報と、移動局側ユニットの通信品質情報とが取得時間に関して対応付けられる。これにより、同時刻における、基地局側ユニットの情報と移動局側ユニットの情報との対応関係を把握することができるため、基地局側ユニットと移動局側ユニットとの相互干渉の影響を考慮して中継装置の設置場所を決定することができる。
【図面の簡単な説明】
【００１６】
【図１】図１は、本発明の一実施形態に係る概略的な無線ネットワーク構成図である。
【図２】図２は、本発明の一実施形態に係る中継装置の概略構成を示す機能ブロック図である。
【図３】図３は、本発明の一実施形態に係る通信装置の概略構成を示す機能ブロック図である。
【図４】図４は、本発明の一実施形態に係る基地局側ユニット及び移動局側ユニットの移動軌跡を示す図である。
【図５】図５は、本発明の一実施形態に係る中継装置の処理を示すフローチャートである。
【図６】図６は、本発明の一実施形態に係る通信装置の処理を示すフローチャートである。
【図７】図７は、本発明の一実施形態に係る通信装置の表示部の表示例である。
【図８】図８は、本発明の一実施形態に係る通信装置の表示部の表示例である。
【図９】図９は、従来の中継装置を示す概略構成図である。
【発明を実施するための形態】
【００１７】
以下、本発明に係る一実施形態について、図面を参照して説明する。
【００１８】
図１は、本発明の一実施形態に係る概略的な無線ネットワーク構成図である。無線ネットワーク１１は、基地局ＢＳ（Base Station）と、移動局ＭＳ（Mobile Station）と、中継装置１１１と、通信装置１４１とから構成されている。通信装置１４１は、例えば、パーソナルコンピュータである。中継装置１１１と通信装置１４１とによって、通信システム１０１が構成されている。無線ネットワーク１１の通信方式がＷｉＭＡＸである場合、無線ネットワーク１１には、直交周波数分割多重アクセス（ＯＦＤＭＡ：Orthogonal Frequency Division Multiple Access）方式及び時分割複信（ＴＤＤ：Time Division Duplex）方式が採用される。中継装置１１１は、ＷｉＭＡＸ等の無線通信方式において、基地局ＢＳと移動局ＭＳとの間で送受信されるデータを中継する。当該中継装置１１１により、移動局ＭＳは、基地局ＢＳのセル（通信可能エリア）の範囲外に位置していても、基地局ＢＳとデータを送受信できる。
【００１９】
図２は、本発明の一実施形態に係る中継装置の概略構成を示す機能ブロック図である。
【００２０】
中継装置１１１は、分離型であり、移動可能な基地局側ユニット（ドナー部又はＭＳ（Mobile Station）部）１１３と、当該基地局側ユニット１１３と独立して移動可能な移動局側ユニット（サービス部又はＢＳ（Base Station）部）１１５とを備えている。中継装置１１１は分離型であるため、基地局側ユニット１１３と移動局側ユニット１１５とをそれぞれ独立して配置することができる。基地局側ユニット１１３と移動局側ユニット１１５とは、同軸ケーブル等の信号ケーブル１１４によって接続されている。
【００２１】
まず、基地局側ユニット１１３の機能ブロックについて説明する。基地局側ユニット１１３は、基地局側送受信部１１７と、基地局側通信品質情報取得部１１９と、基地局側位置情報取得部１２１と、基地局側記憶部１２３と、基地局側制御部１２５（請求項における中継装置制御部）とを備えている。
【００２２】
基地局側送受信部１１７は、アンテナを介して基地局ＢＳとデータを送受信する。
【００２３】
基地局側通信品質情報取得部１１９は、基地局側送受信部１１７により受信されたデータから基地局側ユニット１１３の通信品質情報、例えば、ＲＳＳＩ（Received Signal Strength Indicator：受信信号強度）やＣＩＮＲ（Carrier to Interference and Noise Ratio：搬送波レベル対干渉雑音比）を取得する。基地局側ユニット１１３のＲＳＳＩとは、基地局側送受信部１１７が受信する基地局ＢＳからのデータ信号の強度のことである。ＲＳＳＩの値が大きいほど通信品質は良い。また、基地局側ユニット１１３のＣＩＮＲは、基地局ＢＳからのデータ信号が受ける干渉や雑音の影響の度合いを示すものである。具体的には、基地局ＢＳからの信号は、移動局ＭＳが発する信号、移動局側ユニット１１５が発する信号、これらの信号のスプリアス又は外来ノイズと干渉するおそれがある。特に、移動局側ユニット１１５の通信中に測定された基地局側ユニット１１３のＣＩＮＲには、移動局側ユニット１１５により発せられた信号と基地局側ユニット１１３が受信すべき基地局ＢＳからの信号との相互干渉の影響が反映される。ＣＩＮＲの値が大きいほど通信品質は良い、つまり、データのビット誤り率が低いことを意味し、より伝送速度の高い変調方式を適用することができる。
【００２４】
基地局側位置情報取得部１２１は、基地局側ユニット１１３の位置情報を取得するもので、例えば、ＧＰＳ（Global Positioning System）において、ＧＰＳ衛星からの信号を受信するＧＰＳ受信機である。当該信号には、衛星に搭載された原子時計からの時刻のデータや衛星の軌道情報などが含まれている。基地局側位置情報取得部１２１は、複数の人工衛星からの軌道情報を基に基地局側ユニット１１３との距離を算出し、当該距離から基地局側ユニット１１３の位置座標を算出する。また、基地局側位置情報取得部１２１は、ＧＰＳ受信機のみでなく、ジャイロや加速度センサも含むことができる。そのため、人工衛星からの電波が届きにくい環境でも、ジャイロや加速度センサにより、基地局側ユニット１１３の位置を決定することができる。
【００２５】
基地局側記憶部１２３は、基地局側ユニット１１３及び移動局側ユニット１１５の通信品質情報及び位置情報などの各種情報を記憶するものであり、ワークメモリなどとしても機能する。なお、本実施形態では、基地局側ユニット１１３のみが、記憶部を有するが、本発明は、この構成に限定されるわけではない。例えば、移動局側ユニット１１５のみが記憶部を有し、当該記憶部が、基地局側ユニット１１３の各種情報を、信号ケーブル１１４を介して受け取り、記憶することができる。また、基地局側ユニット１１３及び移動局側ユニット１１５の双方が記憶部を有し、各々の記憶部が各々の情報を記憶することもできる。
【００２６】
基地局側制御部１２５は、基地局側ユニット１１３及び移動局側ユニット１１５の各機能ブロックをはじめとして基地局側ユニット１１３及び移動局側ユニット１１５の全体を制御及び管理する。ここで、基地局側制御部１２５は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。また、基地局側制御部１２５は、ＲＴＣ（Real Time Clock：リアルタイムクロック）を有することができる。ＲＴＣにより、基地局側制御部１２５は時刻を把握することができる。なお、本実施形態では、基地局側ユニット１１３のみが、制御部を有するが、本発明は、この構成に限定されるわけではない。例えば、移動局側ユニット１１５のみが制御部を有し、当該制御部が、基地局側ユニット１１３の全体を、通信ケーブル１１４を介して制御及び管理することができる。また、基地局側ユニット１１３及び移動局側ユニット１１５の双方が制御部を有し、各々の制御部が各々のユニットを制御及び管理することもできる。
【００２７】
続いて、移動局側ユニット１１５の機能ブロックについて説明する。移動局側ユニット１１５は、移動局側送受信部１２７と、移動局側通信品質情報取得部１２９と、移動局側位置情報取得部１３１とを備えている。
【００２８】
移動局側送受信部１２７は、アンテナを介して移動局ＭＳとデータを送受信する。
【００２９】
移動局側通信品質情報取得部１２９は、基地局側通信品質情報取得部１１９と同様、移動局側送受信部１２７により受信されたデータから移動局側ユニット１１５の通信品質情報、例えば、ＲＳＳＩやＣＩＮＲを取得する。移動局側ユニット１１５のＲＳＳＩとは、移動局側送受信部１２７が受信する移動局ＭＳからのデータ信号の強度のことである。また、移動局側ユニット１１５のＣＩＮＲは、移動局ＭＳからのデータ信号が受ける干渉や雑音の影響の度合いを示すものである。具体的には、移動局ＭＳからの信号は、基地局ＢＳが発する信号、基地局側ユニット１１３が発する信号、これらの信号のスプリアス又は外来ノイズと干渉するおそれがある。特に、基地局側ユニット１１３の通信中に測定された移動局側ユニット１１５のＣＩＮＲには、基地局側ユニット１１３により発せられた信号と移動局側ユニット１１５が受信すべき移動局ＭＳからの信号との相互干渉の影響が反映される。
【００３０】
移動局側位置情報取得部１３１は、基地局側位置情報取得部１２１と同様、移動局側ユニット１１５の位置情報を取得するもので、例えば、ＧＰＳ受信機である。また、移動局側位置情報取得部１３１は、ＧＰＳ受信機のみでなく、ジャイロや加速度センサも含むことができる。
【００３１】
基地局側ユニット１１３の基地局側制御部１２５についてより詳細に説明する。基地局側制御部１２５は、基地局側ユニット１１３の通信品質情報及び位置情報と、移動局側ユニット１１５の通信品質情報及び位置情報とを取得時刻に関して対応付ける。取得時刻に関して対応付けるとは、基地局側ユニット１１３の情報を取得（計測）する時刻と、移動局側ユニット１１５の情報を取得する時刻とを合わせることである。このために、基地局側制御部１２５は、基地局側通信品質情報取得部１１９と、基地局側位置情報取得部１２１と、移動局側通信品質情報取得部１２９と、移動局側位置情報取得部１３１とに同時刻に情報を取得させる。そして、基地局側制御部１２５は、取得した情報を、基地局側制御部１２５のＲＴＣの時刻情報又はＧＰＳ衛星からの信号に含まれる時刻情報と関連付けて基地局側記憶部１２３に記憶させる。つまり、同時刻に基地局側ユニット１１３及び移動局側ユニット１１５の通信品質情報の測定が行われることにより、当該通信品質情報に基地局側ユニット１１３と移動局側ユニット１１５との相互干渉の影響を反映させることができる。よって、相互干渉も考慮した上で、基地局側ユニット１１３と移動局側ユニット１１５との設置場所を決定することが可能となる。
【００３２】
基地局側制御部１２５は、取得時刻に関して対応付けられた基地局側ユニット１１３及び移動局側ユニット１１５の情報を通信装置１４１に出力する。通信装置１４１への出力は、例えば、基地局側送受信部１１７又は移動局側送受信部１２７を介して無線通信により実現することができる。また、情報の出力を、ＬＡＮケーブルや同軸ケーブル等の有線ケーブル（図示せず）により実現することもできる。更に、中継装置１１１にＵＳＢポートやＳＤカードスロットなどの外部接続部（図示せず）が搭載されている場合は、基地局側制御部１２５は、ＵＳＢメモリやＳＤカードなどの外部記憶装置（図示せず）を介して、基地局側ユニット１１３及び移動局側ユニット１１５の情報を通信装置１４１に出力することもできる。
【００３３】
次に、図３を用いて、通信装置１４１の機能ブロックについて説明する。通信装置１４１は、中継装置情報取得部１４３と、通信装置記憶部１４５と、表示部１４７と、通信装置制御部１４９とを備えている。中継装置情報取得部１４３は、基地局側制御部１２５から出力された中継装置１１１（基地局側ユニット１１３及び移動局側ユニット１１５）の情報を受け取るものであり、例えば、基地局側送受信部１１７又は移動局側送受信部１２７と無線通信を行う無線部、ＬＡＮケーブルや同軸ケーブル等の有線ケーブルのコネクタ又はＵＳＢポートやＳＤカードスロット等を用いて構成される。通信装置記憶部１４５は、中継装置情報取得部１４３が受け取った情報を記憶するものであり、ワークメモリなどとしても機能する。表示部１４７は、通信装置記憶部１４５が記憶した情報を表示するものであり、例えば、液晶表示パネルや有機ＥＬ表示パネル等を用いて構成される。通信装置制御部１４９は、通信装置１４１の各機能ブロックをはじめとして通信装置１４１の全体を制御及び管理する。ここで、通信装置制御部１４９は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００３４】
通信装置制御部１４９についてより詳細に説明する。通信装置制御部１４９は、移動局側ユニット１１３及び基地局側ユニット１１５の通信品質情報及び位置情報を取得時刻と対応させて表示部１４１に表示させる。取得時刻の表示から、同時刻に取得された移動局側ユニット１１３の情報と基地局側ユニット１１５の情報とを結びつけることができる。これにより、同時刻に取得された基地局側ユニット１１３の情報と、移動局側ユニット１１５の情報との組み合わせが不明になることを避けることができる。
【００３５】
続いて、中継装置１１１の設置場所を決定するために必要な情報の取得方法について、図４、図５、図６、図７及び図８を参照して説明する。図４は、本発明の一実施形態に係る基地局側ユニット及び移動局側ユニットの移動軌跡を示す図である。図５は、本発明の一実施形態に係る中継装置の処理を示すフローチャートである。図６は、本発明の一実施形態に係る通信装置の処理を示すフローチャートである。図７及び図８は、本発明の一実施形態に係る通信装置の表示部の表示例である。
【００３６】
以下、図４のように、室内を基地局側ユニット１１３及び移動局側ユニット１１５が移動するものとする。図４の横軸は東経、縦軸は北緯であるとする。ｄ１からｄ４は、基地局側ユニット１１３の情報取得位置を示し、基地局側ユニット１１３はｄ１からｄ４に移動するものとする。ｓ１からｓ４は、移動局側ユニット１１５の情報取得位置を示し、移動局側ユニット１１５はｓ１からｓ４に移動するものとする。基地局側ユニット１１３及び移動局側ユニット１１５は、ｄ１とｓ１、ｄ２とｓ２、ｄ３とｓ３及びｄ４とｓ４のそれぞれの位置で、同時刻に位置情報及び通信品質情報を取得する。以下、ｄ１とｓ１における取得時刻を１時１０分、ｄ２とｓ２における取得時刻を１時２０分、ｄ３とｓ３における取得時刻を１時３０分、ｄ４とｓ４における取得時刻を１時４０分とする。なお、移動局ＭＳは、図４のように部屋の隅に位置しているとする。
【００３７】
まず、図５を用いて、中継装置１１１の処理について説明する。基地局側ユニット１１３及び移動局側ユニット１１５は、無作為に移動し、任意の情報取得位置（ｄ１及びｓ１）まで移動する（ステップＳ１０１）。なお、基地局側ユニット１１３及び移動局側ユニット１１５は、任意の位置に移動することのみに限定されず、予め決定された位置に移動することもできる。
【００３８】
基地局側ユニット１１３及び移動局側ユニット１１５の移動停止後、基地局側制御部１２５は、基地局側送受信部１１７及び移動局側送受信部１２７をそれぞれ制御して、基地局側送受信部１１７は基地局ＢＳと、移動局側送受信部１２７は移動局ＭＳとそれぞれ通信させる（ステップＳ１０２及びステップＳ１０３）。
【００３９】
続いて、基地局側制御部１２５は、基地局側通信品質情報取得部１１９及び移動局側通信品質情報取得部１２９を制御して、同時刻（１時１０分）における基地局側ユニット１１３及び移動局側ユニット１１５の通信品質情報（ＲＳＳＩ及びＣＩＮＲ）を取得させる（ステップＳ１０４）。一例として、基地局側ユニット１１３のＲＳＳＩが−５０ｄＢｍ、ＣＩＮＲが３０ｄＢであり、移動局側ユニット１１３のＲＳＳＩが−７８ｄＢｍ、ＣＩＮＲが１５ｄＢであったとする。更に、基地局側制御部１２５は、基地局側位置情報取得部１２１及び移動局側位置情報取得部１３１を制御して、通信品質情報の取得と同時に、基地局側ユニット１１３及び移動局側ユニット１１５の位置情報を取得させる（ステップＳ１０５）。図４より、ｄ１は、東経１度、北緯１度の位置であり、ｓ１は、東経１度、北緯６度の位置である。
【００４０】
そして、基地局側制御部１２５は、基地局側ユニット１１３の位置情報及び通信品質情報と、移動局側ユニット１１５の位置情報及び通信品質情報とを、１時１０分に取得された情報として、基地局側記憶部１２３に記憶させる（ステップＳ１０６）。
【００４１】
基地局側ユニット１１３及び移動局側ユニット１１５は、情報の記憶後、基地局ＢＳ及び移動局ＭＳとの通信を停止することができる（ステップＳ１０７）。そして、基地局場輪制御部１２５は、更に情報取得すべきか否かを判断する（ステップＳ１０８）。この判断は、例えば、予め定めた必要情報数に達したか否か、又は所望の値を超える通信品質情報が得られた否かによって決定される。更なる情報取得が必要な場合は（ステップＳ１０８のＹｅｓ）、ステップＳ１０１からステップＳ１０７が繰り返される。
【００４２】
基地局側ユニット１１３及び移動局側ユニット１１５は、ｄ１〜ｄ４又はｓ１〜ｓ４の位置における情報取得完了後（ステップＳ１０８のＮｏ）、基地局側制御部１２５は、基地局側記憶部１２３に記憶されている全ての情報（取得時刻、位置情報及び通信品質情報）を通信装置１４１に出力する（ステップＳ１０９）。なお、通信装置１４１への出力は、全ての情報取得位置における情報を基地局側記憶部１２３に蓄積した後に行われることに限定されない。例えば、基地局側制御部１２５は、ある情報取得位置で情報が取得される毎に通信装置１４１へ出力し、通信装置１４１の通信装置記憶部１４５が情報を蓄積していくこともできる。
【００４３】
続いて、図６のフローチャートを用いて通信装置１４１の処理について説明する。通信装置１４１の中継装置情報取得部１４３は、基地局側制御部１２５が出力した情報を受け取る（ステップＳ２０１）。
【００４４】
次に、通信装置記憶部１４５は、中継装置情報取得部１４３が取得した情報を記憶する（ステップＳ２０２）。
【００４５】
そして、通信装置制御部１４９は、通信装置記憶部１４５に記憶されている情報を表示部１４７に表示させる（ステップＳ２０３）。このとき、基地局側ユニット１１３及び移動局側ユニット１１５の位置情報及び通信品質情報を、これらの情報が取得された取得時刻と共に表示する。例えば、通信装置制御部１４９は、図７のように、取得された時刻順に情報を表示部１４７に表示させることができる。また、通信装置制御部１４９は、図８のように、位置情報を基に情報を表示部１４７に表示させることができる。図８は、取得された位置情報から、情報取得位置が表示部１４７にプロットされている。そして、プロットされた位置に対応させて、関連する通信品質情報及び取得時刻が表示されている。同時刻における基地局側ユニット１１３と移動局側ユニット１１５との組合せを容易に認識できるように、同時刻における基地局側ユニット１１３と移動局側ユニット１１５との位置を線で結ぶことができる。
【００４６】
表示部１４７に表示された情報を基に、中継装置１１１の最適な設置場所が決定される。ＲＳＳＩ及びＣＩＮＲの値が高いほど、通信品質は良いので、同時刻の基地局側ユニット１１３と移動局側ユニット１１５との組み合わせのうち、ＲＳＳＩ及びＣＩＮＲの値が最も高い位置が最適な設置場所となる。また、中継装置１１１が使用される個別状況に応じて、取得された通信品質情報の項目（基地局側ユニット１１３のＲＳＳＩ、移動局側ユニット１１５のＣＩＮＲなど）ごとに所望の閾値を設定し、閾値を満足する位置を最適な設置場所として決定することもできる。例えば、通信ネットワーク１１で伝送速度の高い変調方式が採用されている場合は、高いＣＩＮＲの値が要求されるので、ＣＩＮＲに関する閾値を高く設定することができる。つまり、ＣＩＮＲがＲＳＳＩよりも重要視されることになる。また、移動局側ユニット１１５のＲＳＳＩは、移動局ＭＳからの電波の電界強度であるが、移動局ＭＳは移動可能であるため、中継装置設置後も、測定時と同じ位置に留まっているとは限らない。そのため、移動局ＭＳが測定位置に固定される場合にのみ、移動局側ユニット１１５のＲＳＳＩを考慮することも可能である。
【００４７】
ＲＳＳＩ及びＣＩＮＲの値が最も高い位置を選択するプログラムや所望の閾値を満足する位置を選択するプログラムなどが通信装置記憶部１４５に記憶されている場合、通信装置制御部１４９は、当該プログラムを実行することにより、中継装置１１１の最適な設置場所を決定し、表示部１４７に表示させることができる。
【００４８】
このように本実施形態では、中継装置１１１は、移動可能な基地局側ユニット１１３と、基地局側ユニットと独立して移動可能な移動局側ユニット１１５とを備え、両ユニットは、通信品質情報を取得する基地局側通信品質情報取得部１１９又は移動局側通信品質情報取得部１２９と、位置情報を取得する基地局側位置情報取得部１２１又は移動局側位置情報取得部１３１とを備えている。これにより、基地局側ユニット１１３及び移動局側ユニット１１５は、それぞれ二次元の領域内で中継装置を決定するために必要な情報を取得できる。そして、基地局側制御部１２５は、基地局側ユニット１１３の通信品質情報及び位置情報と、移動局側ユニット１１５の通信品質情報及び位置情報とを取得時刻に関して対応付ける。つまり、基地局側ユニット１１３及び移動局側ユニット１１５はそれぞれ独立して移動するものの、情報の取得は同時刻に行われる。そのため、基地局側ユニット１１３と移動局側ユニット１１５との相互干渉の影響についても反映された通信品質情報の取得が可能となる。
【００４９】
また、本実施形態では、通信装置１４１の通信装置制御部１４９は、移動局側ユニット１１３及び基地局側ユニット１１５の通信品質情報及び位置情報を取得時刻と対応させて表示部１４７に表示させる。取得時刻の表示から、同時刻に取得された移動局側ユニット１１３の情報と基地局側ユニット１１５の情報とを結びつけることが可能となる。これにより、同時刻に取得された基地局側ユニット１１３の情報と、移動局側ユニット１１５の情報との組み合わせが不明になることを避けることができる。
【００５０】
また、本実施形態では、通信装置制御部１４９は、中継装置１４１から受け取った情報を、位置情報を基に表示部１４７に表示させる。つまり、情報が表示部１４７に単に羅列されるのではなく、取得された位置情報から、取得位置が表示部１４７にプロットされ、プロットされた位置に対応して、関連する通信品質情報及び取得時刻が表示される。これにより、ユーザは、表示部１４７の表示から、基地局側ユニット１１３と移動局側ユニット１１５との最適な位置関係を容易に把握することができる。
【００５１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５２】
例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００５３】
１１    無線ネットワーク
１０１  通信システム
１１１  中継装置
１１３  基地局側ユニット
１１４  信号ケーブル
１１５  移動局側ユニット
１１７  基地局側送受信部
１１９  基地局側通信品質情報取得部
１２１  基地局側位置情報取得部
１２３  基地局側記憶部
１２５  基地局側制御部
１２７  移動局側送受信部
１２９  移動局側通信品質情報取得部
１３１  移動局側位置情報取得部
１４１  通信装置
１４３  中継装置情報取得部
１４５  通信装置記憶部
１４７  表示部
１４９  通信装置制御部
９０１  中継装置
９０３  基地局向けアンテナ
９０５  移動局向けアンテナ
９０７  スライドレール
９０９  駆動部
ＢＳ  基地局
ＭＳ  移動局
ｄ１〜ｄ４  基地局側ユニットの情報取得位置
ｓ１〜ｓ４  移動局側ユニットの情報取得位置
【図１】
2012010294.tif 000003
【図２】
2012010294.tif 000004
【図３】
2012010294.tif 000005
【図４】
2012010294.tif 000006
【図５】
2012010294.tif 000007
【図６】
2012010294.tif 000008
【図７】
2012010294.tif 000009
【図８】
2012010294.tif 000010
【図９】
2012010294.tif 000011